(57)【要約】【課題】本発明は、従来技術の課題を解決し、野縁材として軽量形鋼を用いる場合において、予め野縁材に簡易な加工を施すことによって垂れ下がりを防止することができる天井構造を提供することを目的とするものである。【解決方法】  対向する境界壁１で両端部のみが支持された野縁２と、野縁２の下端面に貼着される天井材３とからなる建物の天井構造であって、野縁２が、三次元のロールフォーミング加工にて所定の曲率半径となるように湾曲加工された軽量形鋼からなり、且つ上に凸となるように取り付けられたことを特徴とする。【選択図】図２
2011256548.tif 000002
【特許請求の範囲】
【請求項１】
対向する壁で両端部のみが支持された野縁と、該野縁の下端面に貼着される天井材とからなる建物の天井構造であって、該野縁が、三次元のロールフォーミング加工にて所定の曲率半径となるように湾曲加工された軽量形鋼からなり、且つ上に凸となるように取り付けられたことを特徴とする天井構造。
【請求項２】
前記建物が、規格化された部材を用いて規格化された納まり寸法に基づいて構築される規格化建物であって、前記野縁の曲率半径が、想定される壁の離間寸法が最大の際に天井面が略平坦となるように規格化されたことを特徴とする請求項１に記載した天井構造。
【発明の詳細な説明】
【技術分野】
【０００１】
本発明は、簡易な手段によって上階から伝わる振動を低減させることができる天井構造に関するものである。
【背景技術】
【０００２】
従来より、天井下地となる野縁は、上階の床から吊りボルトや吊り木などを用いて吊り下げられるのが一般的であるが、このような構成は、上階床の振動を伝えやすく、特に、複数の住戸が上下に重ね合わせて構成された集合住宅においては、充分な対策を必要としていた。
【０００３】
このような上階床の振動を伝えにくくするための手段として、野縁の中間部を吊ボルト等で支持させず、両端部のみを壁で支持させる方法が考えられる。しかし、このような構成の場合、野縁の撓み量が大きくなることで天井が垂れ下がって、機能上の問題はないものの、居住者に視覚的な違和感を与えるという問題が生じることがある。
【０００４】
特許文献１には、下面に天井面材が張られる小梁（本発明の野縁に相当）の下面を切削または切断によって山形または円弧状に加工して小梁の撓みによる天井下がりを防止する、小梁の加工方法の記載がある。
【先行技術文献】
【特許文献】
【０００５】
【特許文献１】特開平１０−００８５６６号公報
【発明の概要】
【発明が解決しようとする課題】
【０００６】
しかし、野縁が軽量形鋼からなる場合、このような加工は困難である。本発明は、従来技術の課題を解決し、野縁材として軽量形鋼を用いる場合において、予め野縁材に簡易な加工を施すことによって垂れ下がりを防止することができる天井構造を提供することを目的とするものである。
【課題を解決するための手段】
【０００７】
上記課題を解決する為に、本発明に係る天井構造の第１の構成は、対向する壁で両端部のみが支持された野縁と、該野縁の下端面に貼着された天井材とからなる建物の天井構造であって、該野縁が、三次元のロールフォーミング加工にて所定の曲率半径となるように湾曲加工された軽量形鋼からなり、且つ上に凸となるように取り付けられて構成されたことを特徴とする。
【０００８】
本発明に係る天井構造の第２の構成は、第１の構成において、前記建物が、規格化された部材を用いて規格化された納まり寸法に基づいて構築される規格化建物であって、前記野縁の曲率半径が、想定される壁の離間寸法が最大の際に天井面が略平坦となるように規格化されたことを特徴とする。
【発明の効果】
【０００９】
本発明に係る天井構造の第１の構成によれば、野縁を、三次元のロールフォーミング加工という簡易な手段で予め所定の曲率半径にて湾曲加工された軽量形鋼で構成することによって、天井の垂れ下がりを効果的に防止することができる。
【００１０】
本発明に係る天井構造の第２の構成によれば、野縁の曲率半径を、最大スパン長において略平坦となるように設定し、同一の野縁を他のスパン長においても適用することによって、規格化建物における部材構成を少品種で合理的なものとすることができる。
【図面の簡単な説明】
【００１１】
【図１】本発明に係る天井構造を適用した建物の平面図である。
【図２】天井構造の構成を示す縦断面図である。
【発明を実施するための形態】
【００１２】
以下に図を参照して、本発明に係る天井構造の一実施形態について説明する。本実施形態は、所定の規格に基づいて建築される（すなわち、平面モジュール、使用する部材、部材構成、構成部材の納まり寸法等が規格化、標準化された）規格化集合住宅Ａにおける天井構造である。
【００１３】
規格化集合住宅Ａは、図１、図２に示すように、２階建てで６つの住戸（Ａ１１、Ａ１２、Ａ２１、Ａ２２、Ａ３２、Ａ３３）からなるもので、平面視矩形で同一の大きさの２つの住戸を重ねた住戸単位Ａ１、Ａ２、Ａ３が桁行方向に３つ連結されて構成されており、各住戸において境界壁１（隣接する２つの住戸間の界壁１ａ又は端部の住戸の妻側外壁１ｂ）は平行に配置されて対向するように構成されている。
【００１４】
各住戸において対向する２つの境界壁１の最大離間寸法（最大スパン長または住戸の最大間口寸法であり境界壁１の芯−芯寸法で表される）は、前記規格によって、所定の値、例えば５４６０ｍｍに制限されている。
【００１５】
規格化集合住宅Ａにおける天井構造Ｂは、図２に示すように、各住戸において対向する境界壁１で両端部のみが支持される野縁２と、野縁２の下端面に貼着される天井板３とで構成されている。
【００１６】
野縁２は、三次元のロールフォーミングによって、断面を略コ字状とするとともに、その長さ方向について所定の曲率半径の湾曲加工を施した軽量形鋼からなる。
【００１７】
野縁２は、図１に示すように、境界壁１に対し直角方向に所定のピッチで平行に、且つ、上に凸となるように、すなわち起り（むくり）が形成されるように境界壁１に固定されている。
【００１８】
天井構造Ｂの施工にあたっては、まず略コ字状断面の軽量形鋼からなる長尺のランナーをその開口が対向するように境界壁１の所定の高さに水平に固定する。次に、ランナーの下フランジに野縁２の両端部を掛止するとともにビスにて固定する。そして、石膏ボードからなる天井板３を野縁２の下フランジを下地としてビスにて貼着する。天井板３の下面は適宜ビニールクロス等の仕上材を貼着して仕上げる。
【００１９】
野縁２の曲率半径は、最大スパン長に対応してカットされた際の起りが、天井構造Ｂの仕上り状態での天井板３や野縁２の自重による撓み（下方への変形）で相殺されて、天井面がほぼ平坦となるように設定されている。
【００２０】
例えば、最大スパン長５４６０ｍｍの場合の天井構造Ｂの中央部での撓み量を（野縁には起りがないものとして）、野縁２の自重及び１本の野縁２が負担する天井板３と仕上材の重量等を外力とし野縁２を単純梁として計算する。そして、例えば撓み量が４０ｍｍと算出された場合、野縁２の曲率半径を９００００ｍｍに設定すると、この野縁２の起り量は約４０．８ｍｍとなり、撓み量にほぼ等しい値となる。このようにして野縁２の曲率半径を設定することで、起りと撓みとがほぼ相殺されて、略平坦な天井面を形成することができる。
【００２１】
上記曲率半径の野縁２は、例えば、スパン長が２７３０ｍｍ（最大スパン長の２分の１、凡そ1間半であり、一般的な集合住宅における住戸の最小間口寸法）の場合にも、所定の長さに加工して使用することができる。すなわち、上記スパン長の場合、野縁２の起り量は１０．２ｍｍと計算され、一方、天井構造Ｂの撓み量は５ｍｍ（５４６０ｍｍの場合の８分の１）と計算される。このように、上記スパン長では、起り量が撓み量を上回る（すなわち天井構造Ｂには最終的に若干の起りが残る）ことになるが、この程度の起り量であれば居住者に視覚上の違和感を感じさせることがない。
【００２２】
同様にして、スパン長が５４６０ｍｍと２７３０の間となる３６４０ｍｍの場合においても、上記曲率半径の野縁２を所定の長さに加工して使用することができる。
【００２３】
上記構成によれば、野縁２を、三次元のロールフォーミング加工という簡易な手段で予め所定の曲率半径にて湾曲加工された（起りが形成された）軽量形鋼で構成することによって、天井の垂れ下がりを効果的に防止することができる。
【００２４】
また、野縁２の曲率半径を、最大スパン長において略平坦となるように設定し、同一の曲率半径を有する野縁２を他のスパン長においても適用することによって、規格化集合住宅において少品種で合理的な部材構成とすることができる。
【００２５】
上記実施形態は、集合住宅に適用した例であるが、もちろん本発明の天井構造は集合住宅に限定されるものではなく、戸建住宅、店舗等様々な用途の建物に適用することができる。また、野縁の断面形状は略コ字状に限定されるものでもなく、公知の三次元ロールフォーミング技術によって様々な断面形状とすることができる。
【符号の説明】
【００２６】
Ａ  規格化集合住宅
Ｂ  天井構造
１  境界壁（対向する壁）
１ａ  住戸間の界壁
１ｂ  端部の住戸の妻側外壁
２  野縁
３  天井板
【図１】
2011256548.tif 000003
【図２】
2011256548.tif 000004